(57)【特許請求の範囲】
【請求項１】
プラントに敷設された配管の配置図を記憶する配管記憶部と、
検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を記憶する診断情報記憶部と、
前記配置図、および、各診断情報に対応付けられた不具合地点アイコン、を表示する表示部と、
前記表示部に表示される前記配置図および前記診断情報の内容を制御する制御部と、を備え、
前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示される配管診断履歴表示装置。
【請求項２】
前記不具合地点アイコンは、当該不具合地点アイコンに対応付けられた前記診断情報に含まれる前記不具合情報により特定される前記不具合の内容ごとに異なる色で表示される請求項１に記載の配管診断履歴表示装置。
【請求項３】
配管記憶部、診断情報記憶部、表示部、および制御部を備える配管診断履歴表示装置が実行する配管診断履歴表示方法であって、
プラントに敷設された配管の配置図を前記配管記憶部に記憶する配管記憶工程と、
検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を前記診断情報記憶部に記憶する診断情報記憶工程と、
前記配置図、および、各診断情報に対応付けられた不具合地点アイコン、を前記表示部に表示する表示工程と、
前記表示工程において表示される前記配置図および前記診断情報の内容を制御する制御工程と、を備え、
前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示される配管診断履歴表示方法。
【請求項４】
プラントに敷設された配管の配置図を記憶装置に記憶させる配管記憶機能と、
検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を前記記憶装置に記憶させる診断情報記憶機能と、
前記配置図、および、各診断情報に対応付けられた不具合地点アイコン、を表示装置に表示する表示機能と、
前記表示機能によって表示される前記配置図および前記診断情報の内容を制御する制御機能と、をコンピュータに実行させ、
前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示される配管診断履歴表示プログラム。
【発明の詳細な説明】
【技術分野】
【０００１】
本発明は、プラントに敷設された配管についての診断の履歴など表示に用いることができる配管診断履歴表示装置、配管診断履歴表示方法、および配管診断履歴表示プログラムに関する。
【背景技術】
【０００２】
石油化学プラントや火力発電プラントなどのプラントの敷地内には、当該プラントの操業に供される種々の流体を流通させる配管が敷設されている。配管に損傷が生じると、流体を流通させることができずプラントの操業に支障をきたすのみならず、流体の漏洩によって従業員や周辺環境に被害を及ぼすおそれがある。このような事態を未然に防ぐため、プラントに敷設された配管に対して、定期的または不定期の診断が行われる。【０００３】
一般的に、プラントの操業に供される流体は多岐にわたり、またこれらの流体をプラント内の各所において利用に供する必要があるため、プラント内には多数の配管が相当な延長距離にわたって敷設されている。このように、配管の数量および延長距離が多大であるため、配管の診断履歴も相当な情報量となりうる。そのため、かかる診断履歴情報をいかに効率よく、整理された状態で管理するかは、プラント管理における重要な課題だと言える。【０００４】
たとえば、日本国特開２００８−２３４４８３号公報（特許文献１）に開示された情報管理システムでは、大量のプラント図面データを構造化して管理するとともに、関連する図面データ同士がリンク付けされているので、必要な関連情報を必要なときにデータベースから取り出すことができる。
【先行技術文献】
【特許文献】
【０００５】
【特許文献１】日本国特開２００８−２３４４８３号公報
【発明の概要】
【発明が解決しようとする課題】
【０００６】
しかし、特許文献１のような技術では、複数の図面データを関連付けることはできていたが、図面に表された領域において発見された不具合について、発見された位置と不具合の内容とを同時に把握することは困難だった。【０００７】
そこで、プラントに敷設された配管の配置図と、当該配置図に表された領域において発見された不具合の位置およびその内容と、を一覧できるシステムの実現が求められる。
【課題を解決するための手段】
【０００８】
本発明に係る配管診断履歴表示装置は、プラントに敷設された配管の配置図を記憶する配管記憶部と、検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を記憶する診断情報記憶部と、前記配置図、および、各診断情報に対応付けられた不具合地点アイコン、を表示する表示部と、前記表示部に表示される前記配置図および前記診断情報の内容を制御する制御部と、を備え、前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示されることを特徴とする。
【０００９】
また、本発明に係る配管診断履歴表示方法は、配管記憶部、診断情報記憶部、表示部、および制御部を備える配管診断履歴表示装置が実行する配管診断履歴表示方法であって、プラントに敷設された配管の配置図を前記配管記憶部に記憶する配管記憶工程と、検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を前記診断情報記憶部に記憶する診断情報記憶工程と、前記配置図、および、各診断情報に対応付けられた不具合地点アイコン、を前記表示部に表示する表示工程と、前記表示工程において表示される前記配置図および前記診断情報の内容を制御する制御工程と、を備え、前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示されることを特徴とする。
【００１０】
また、本発明に係る配管診断履歴表示プログラムは、プラントに敷設された配管の配置図を記憶装置に記憶させる配管記憶機能と、検査員が前記配管に対して行った診断の結果に基づいて、前記検査員が不具合を発見した地点を特定する地点情報、前記不具合の内容を特定する不具合情報、および、直近に実施した処置である直近処置を特定する直近処置情報、を含む診断情報を前記記憶装置に記憶させる診断情報記憶機能と、前記配置図、および、各診断情報に対応付けられた不具合地点アイコン、を表示装置に表示する表示機能と、前記表示機能によって表示される前記配置図および前記診断情報の内容を制御する制御機能と、をコンピュータに実行させ、前記不具合地点アイコンは、当該不具合地点アイコンに対応付けられた前記診断情報に含まれる前記地点情報に対応する前記配置図上の位置に、当該診断情報に含まれる前記不具合情報により特定される前記不具合の内容、および、当該診断情報に含まれる前記直近処置情報により特定される前記直近処置を特定可能な態様で表示されることを特徴とする。
【００１１】
これらの態様によれば、プラントに敷設された配管の配置図上に、当該配置図に表された領域において発見された不具合の位置が不具合地点アイコンとして表示され、さらに各不具合地点アイコンは、各不具合地点アイコンが表す不具合の内容を特定可能な態様で表示されるので、プラントに敷設された配管の配置図と、当該配置図に表された領域において発見された不具合の位置およびその内容とを、ひと目で把握しやすい。また、表示部に表示された配置図に対応する領域で発見された不具合について、その不具合の内容と、その不具合に対する処置の進行状況とを同時に把握しやすい。
【００１２】
以下、本発明の好適な態様について説明する。ただし、以下に記載する好適な態様例によって、本発明の範囲が限定されるわけではない。【００１３】
本発明に係る配管診断履歴表示装置は、一態様として、前記不具合地点アイコンは、当該不具合地点アイコンに対応付けられた前記診断情報に含まれる前記不具合情報により特定される前記不具合の内容ごとに異なる色で表示されることが好ましい。【００１４】
この構成によれば、色によって不具合地点アイコンが表す不具合の内容を識別できるため、プラントに敷設された配管の配置図と、当該配置図に表された領域において発見された不具合の位置およびその内容とを一層把握しやすい。【００１７】
本発明のさらなる特徴と利点は、図面を参照して記述する以下の例示的かつ非限定的な実施形態の説明によってより明確になるであろう。
【図面の簡単な説明】
【００１８】
【図１】本発明の実施形態に係る配管診断履歴表示装置の構成図
【図２】本発明の実施形態に係る配管敷設状態を示す図
【図３】本発明の実施形態に係る診断情報の図
【図４】本発明の実施形態に係る配管診断履歴表示画面の図
【図５】本発明の実施形態に係る詳細ウィンドウの拡大図
【図６】本発明の実施形態に係る不具合一覧画面の図
【図７】本発明の別実施形態に係る診断情報詳細表示画面の図
【発明を実施するための形態】
【００１９】
本発明に係る配管診断履歴表示装置、配管診断履歴表示方法、および、配管診断履歴表示プログラムの実施形態について、図面を参照して説明する。以下では、石油化学プラントや火力発電プラントなどのプラントＰの敷地内に敷設された配管群２について、本実施形態に係る配管診断履歴表示装置１を用いて、本実施形態に係る配管診断履歴表示方法により、配管群２（配管２１）に対して行われた診断の履歴を表示した例について説明する。なお、配管診断履歴表示装置１には、本実施形態に係る配管診断履歴表示プログラムがインストールされている。
【００２０】
なお、石油化学プラントや火力発電プラントなどの全体を重要なアセットの１つとして捉えると、本実施形態に係る配管診断履歴表示装置、配管診断履歴表示方法、および、配管診断履歴表示プログラムは、アセットマネジメント手法の１つとして適用可能である。
【００２１】
〔装置構成およびシステム構成〕
まず、本実施形態に係る配管診断履歴表示装置１および診断対象とする配管群２について説明する。図１に示すように、本実施形態に係る配管診断履歴表示装置１は、互いに通信可能に構成されたサーバ装置１１および可搬型端末１２を備える。検査員は、プラントＰの敷地内に敷設された多数の配管２１からなる配管群２の各所を点検し、発見した不具合を可搬型端末１２に入力する。可搬型端末１２に入力された不具合情報はサーバ装置１１に送信され、ここに記憶される。
【００２２】
図２に示すように、配管２１は、配管２１の長手方向に沿って離間して複数設けられたラック２２に支持された状態で敷設されている。ラック２２は水平方向に配管２１の直径よりも大きな幅を有し、複数の配管２１を水平方向に並べて受容できる。また、ラック２２は上下方向に複数の階層を有し、当該複数の階層のそれぞれに複数の配管２１を受容できる。すなわち、敷地を有効に利用するため、配管２１は水平方向および上下方向に集約して敷設されている。
【００２３】
プラントＰ内における各配管２１の特定の部分は、各配管２１に割り当てられた配管名２１ａ、各ラック２２に割り当てられたラック番号２２ａ、および、各ラック２２の各階層に割り当てられた階層番号２２ｂ、によって特定される。たとえば、図２中にＥｘ１の符号を付した箇所は、「５１番配管」、「３４番ラック直上」、および「階層２Ｆ」の各情報により特定される。同様に、図２中にＥｘ２の符号を付した箇所は、「６１番配管」、「３４番ラックと３５番ラックとの間」、および「階層１Ｆ」の各情報により特定される。
【００２４】
図１に示すように、配管診断履歴表示装置１はサーバ装置１１および可搬型端末１２を備える。サーバ装置１１は、配管記憶部１１ａ、診断情報記憶部１１ｂ、およびサーバ通信部１１ｃを有する。可搬型端末１２は、制御部１２ａ、タッチパネル１２ｂ（表示部の例）、および端末通信部１２ｃを有する。サーバ装置１１および可搬型端末１２は、サーバ通信部１１ｃおよび端末通信部１２ｃを介して通信可能に構成されている。かかる通信の方法としては、有線ＬＡＮ通信、無線ＬＡＮ通信、携帯電話網を通じた通信、人工衛星を通じた通信など、公知の方法を使用できるが、無線通信が可能な方法を使用すると、利便性が向上するため好ましい。
【００２５】
配管記憶部１１ａには、配管群２の部分ごとに、配管２１の配置図３１が記憶されている。可搬型端末１２は、サーバ装置１１から配置図３１を受信し、これをタッチパネル１２ｂに表示することができる。
【００２６】
診断情報記憶部１１ｂには、診断員が配管群２に対して行った診断の結果に基づいて、検査員が発見した不具合ごとに診断情報３２が記憶されている。診断情報３２は、検査員が配管２１に不具合を発見した場所を特定する地点情報３２１、当該不具合の内容を特定する不具合情報３２２、および、当該不具合に対する処置状況を特定する処置情報３２３を含む。
【００２７】
地点情報３２１は、不具合が発見された地点のプラントＰ内におけるエリア名のほか、配管名２１ａ、ラック番号２２ａ、および、階層番号２２ｂを用いて特定される。たとえば、図３に示した例に係る診断情報３２は、「エリア１３−０５」、「５１番配管」、「３４番ラック」、および「階層３Ｆ」の各情報により特定される地点情報３２１を有し、当該地点において不具合が発見されたことを示す。
【００２８】
不具合情報３２２は、不具合の具体的な内容を特定する。たとえば、図３に示した例に係る診断情報３２は、不具合の具体的な内容が「腐食Ａ」である旨の不具合情報３２２を含む。この例では、不具合の種類が腐食であること、および、その腐食が「腐食Ａ」、「腐食Ｂ」、「腐食Ｃ」の３段階のうちの最も腐食の程度が大きい「腐食Ａ」に区分されることを、不具合情報３２２として記憶するように構成されている。また、不具合情報３２２には、不具合の具体的な内容の他に、不具合を発見した日時（発見日）、不具合を発見した検査員の名前（発見者）、不具合部分の写真、不具合部分の大きさ、不具合を発見した配管に流れる流体、不具合部分の観察メモ、などを含めることができる。
【００２９】
処置情報３２３は、不具合の発見から処置完了までに行うべき全ての処置対応する情報を含み、当該処置の段階ごとに区分される。第一に、実施済の処置のうち直近に実施した処置よりも前に実施した処置に対応する処置情報３２３は、実施済処置情報３２３ａに区分される。なお、当明細書において、直近に実施した処置を直近処置と称する。第二に、直近処置に対応する処置情報３２３は、直近処置情報３２３ｂに区分される。第三に、現在の状態において次に実施すべき処置に対応する処置情報３２３は、実施待処置情報３２３ｃに区分される。なお、当明細書において、現在の状態において次に実施すべき処置を実施待処置と称する。第四に、実施待処置より後に実施すべき未実施の処置に対応する処置情報３２３は、予定処置情報３２３ｄに区分される。たとえば、図３に示した例に係る診断情報３２では、処置情報３２３は第１段階から第７段階に区分され、過去に実施した第１段階および第２段階の処置は実施済処置情報３２３ａに、直近に実施した第３段階の処置は直近処置情報３２３ｂに、次に実施すべき第４段階の処置は実施待処置情報３２３ｃに、将来実施すべき第５段階から第７段階までの処置は予定処置情報３２３ｄに区分される。
【００３０】
制御部１２ａは、サーバ装置１１から受信した配置図３１および診断情報３２に基づいて、タッチパネル１２ｂに表示する内容を制御する。タッチパネル１２ｂは、配置図３１および診断情報３２の少なくとも１つに基づく表示画面を表示可能であるとともに、使用者からの入力操作を受け付け可能に構成されている。タッチパネル１２ｂに表示される具体的な内容については後述する。
【００３１】
検査員は、目視その他の方法により、配管群２に属するそれぞれの配管２１について、不具合の有無を診断する。不具合を発見した場合、当該不具合を発見した場所の地点情報３２１、および、当該不具合についての不具合情報３２２を、タッチパネル１２ｂを用いて入力する。入力された地点情報３２１および不具合情報３２２は、サーバ装置１１に送信され、診断情報記憶部１１ｂに記憶される。
【００３２】
〔配管診断履歴表示画面〕
次に、タッチパネル１２ｂに表示される表示画面のうち、配管診断履歴表示画面４０について説明する。図４に示すように、配管診断履歴表示画面４０は、配置図３１を表示する配置図表示部４１、配置図表示部４１に表示された配置図３１のプラントＰ内における位置を特定する情報を表示するエリア情報表示部４２、および、不具合情報３２２および処置情報３２３を提示する詳細ウィンドウ４３、を有する。
【００３３】
配置図表示部４１には、配置図３１とともに、当該配置図３１に表された領域において発見された不具合のそれぞれについて、当該不具合に係る診断情報３２に対応付けられた不具合地点アイコン４４が表示される。不具合地点アイコン４４の表示位置は、当該不具合地点アイコン４４に対応付けられた診断情報３２に含まれる地点情報３２１に基づいて決定される。すなわち、表示された不具合地点アイコン４４の配置図３１上における位置を見れば、実際の配管２１における不具合の位置を把握することができる。
【００３４】
また、不具合地点アイコン４４は、当該不具合地点アイコン４４に対応付けられた診断情報３２に含まれる不具合情報３２２により特定される不具合の内容ごとに、異なる色で表示される。たとえば、「腐食Ａ」の不具合情報３２２を含む診断情報３２に対応付けられた不具合地点アイコン４４は赤色で表示される。同様に、「腐食Ｂ」は橙色で、「腐食Ｃ」は黄色で表示される。すなわち、不具合地点アイコン４４は、当該不具合地点アイコン４４に対応付けられた診断情報３２に含まれる不具合情報３２２により特定される不具合の内容を特定可能な態様で表示される。このように構成することで、重要度、緊急度などが高い不具合が発見された地点を容易に特定することができる。
【００３５】
さらに、不具合地点アイコン４４は、当該不具合地点アイコン４４に対応付けられた診断情報３２に含まれる直近処置情報３２３ｂにより特定される直近処置の段階を表す数字を含む態様で表示される。図４に示した例では、直近処置が第２段階の処置である不具合地点アイコン４４ａと、直近処置が第４段階の処置である不具合地点アイコン４４ｂとが表示されている。すなわち、不具合地点アイコン４４は、当該不具合地点アイコン４４に対応付けられた診断情報３２に含まれる直近処置情報により特定される直近処置の段階を特定可能な態様で表示される。このように構成することで、それぞれの不具合に対する処置がどの程度進んでいるのかを、ひと目で把握することができる。
【００３６】
エリア情報表示部４２は、配置図番号表示部４２ａ、プラント地図表示部４２ｂ、および、ラック図表示部４２ｃ、を有する。
【００３７】
配置図番号表示部４２ａには、プラントＰの管理者が、配置図表示部４１に表示された配置図３１のプラントＰ内における位置を特定するための、図番、ページ番号、ラック番号などの情報が表示される。また、これらの情報を表示する表示欄に対し、配置図表示部４１に表示されている配置図３１とは異なる配置図３１を特定する情報を入力すると、配置図表示部４１に表示される配置図３１を、入力された情報により特定される配置図３１に変更することができる。
【００３８】
プラント地図表示部４２ｂには、配置図表示部４１に表示された配置図３１よりも縮尺が小さい地図が表示される。使用者は、当該地図により、当該配置図３１が表す領域がプラントＰ内のどの位置であるかを視覚的に理解することができる。
【００３９】
ラック図表示部４２ｃには、配置図表示部４１に表示された配置図３１に含まれるラック２２について、概略図、ラック番号２２ａ、および階層番号２２ｂが表示される。使用者は、当該概略図、ラック番号２２ａ、および階層番号２２ｂにより、当該配置図３１が表す領域が当該ラック２２のいずれの階層に位置する領域であるのかを容易に把握することができる。
【００４０】
配置図表示部４１に表示された不具合地点アイコン４４に対応する診断情報３２を提示するため、不具合地点アイコン４４に関連付けられた詳細ウィンドウ４３が表示される。図５に示すように、詳細ウィンドウ４３は左右方向に三分割されており、中央部４３ｂには直近処置情報３２３ｂが提示される。また、左部４３ａには直近処置の前に実施した処置に対応する実施済処置情報３２３ａが提示され、右部４３ｃには実施待処置に対応する実施待処置情報３２３ｃが提示される。すなわち、詳細ウィンドウ４３には、実施待処置を中央とする３つの連続する段階の処置に対応する処置情報３２３が提示される。図５では、実施待処置が第２段階の処置である不具合地点アイコン４４ａを選択したときに、詳細ウィンドウ４３に、左から順に、第１段階の処置に対応する実施済処置情報３２３ａ、第２段階の処置に対応する直近処置情報３２３ｂ、および、第３段階の処置に対応する実施待処置情報３２３ｃ、が提示された例を示している。また、直近処置情報３２３ｂは太枠で強調表示されるので、使用者は処置の進行度合を把握しやすい。なお、詳細ウィンドウ４３は、使用者のタッチ操作により選択された不具合地点アイコン４４に関連付けられた詳細ウィンドウ４３を表示するように構成してもよい。
【００４１】
詳細ウィンドウ４３に提示される処置情報３２３は、使用者による入力操作により選択することができる。図５に示した例では、詳細ウィンドウ４３の下部に表示されるスクロールバー４３ｄを右方向にスライド操作すると、提示されている処置情報３２３よりも高次の段階の処置に対応する処置情報３２３が順に表示される。反対に、スクロールバー４３ｄを左方向にスライド操作すると、提示されている処置情報３２３よりも低次の段階の処置に対応する処置情報３２３が順に表示される。ここで、スクロールバー４３ｄをどのように操作しても、詳細ウィンドウ４３に提示される処置情報３２３は常に、連続する３つの段階の処置に対応する処置情報３２３である。この構成により、使用者は、選択された不具合地点アイコン４４に対応付けられた不具合の発見から処置完了までに行うべき各処置を、それぞれの処置を行うべき順序とともに確認することができる。
【００４２】
使用者は、詳細ウィンドウ４３に提示された処置情報３２３に対し、各種の情報を入力することができる。たとえば、中央部４３ｂに実施待処置情報３２３ｃが提示された状態で、使用者が実施待処置情報３２３ｃに含まれる項目をタッチ操作により選択すると、当該項目に係る入力を行うことができる。これによって使用者は、たとえば、実施待処置を実施した結果を入力し、診断情報記憶部１１ｂに記憶された診断情報３２を更新することができる。
【００４３】
〔不具合一覧画面〕
次に、タッチパネル１２ｂに表示される表示画面のうち、不具合一覧画面５０について説明する。不具合一覧画面５０は、不具合一覧表５１および抽出条件選択部５５を有する。
【００４４】
図６に示すように、不具合一覧表５１は、ラック番号軸５２および階層軸５３の二軸と、これらの二軸に記載された項目により区分される不具合数表示欄５４とにより構成されている。ラック番号軸５２の各欄には、１つおきにラック番号２２ａがその番号順に記載され、ラック番号２２ａが記載されていない欄には、ラック間を表す縦棒記号が記載されている。階層軸５３の各欄には、階層番号２２ｂがその番号順に記載されている。
【００４５】
それぞれの不具合数表示欄５４には、当該不具合数表示欄５４の左方向端に位置するラック番号軸５２の欄に記載されたラック番号２２ａ、および、当該不具合数表示欄５４の上方向端に位置する階層軸５３に記載された階層番号２２ｂ、により特定される領域において発見された存在する不具合の数が表示される。たとえば、図６に示した例では、不具合数表示欄５４ａは、「３６番ラック直上」の「階層２Ｆ」において２つの不具合が発見されたことを表す。同様に、不具合数表示欄５４ｂは、「４１番ラックと４２番ラックとの間」の「階層３Ｆ」において６つの不具合が発見されたことを表す。このように構成することで、不具合の分布を立体的に把握することができるので、近接する不具合を一度に補修するように計画するなど、効率のよい補修計画を立案しやすい。また、互いに隣接する複数の不具合数表示欄５４に不具合が集中している場合、これらの不具合数表示欄５４により特定される地点の付近に、当該地点特有の不具合原因が存在する可能性が高いことを認識することができる。かかる不具合原因としては、風雨の影響を受けやすい地点であることや、周辺に設置されている機器の影響を受けやすい地点であることなどが例示される。このように、不具合一覧表５１は不具合の原因を推定するために活用できる情報を使用者に提供するので、使用者は有効な対策を講じやすい。
【００４６】
また、それぞれの不具合数表示欄５４は、当該不具合数表示欄５４に表示される不具合の数の値に応じて異なる色で着色される。たとえば、図６に示した例では、不具合の数が０の欄は白色で、不具合の数が１〜２の欄は青色で、不具合の数が３〜６の欄は黄色で、不具合の数が７以上の欄は赤色で、それぞれ着色される。すなわち、各不具合数表示欄５４は、当該不具合数表示欄５４に表示される不具合の数が、所定の区分のうちのいずれの区分に該当するかを特定可能な態様で表示される。
【００４７】
使用者が抽出条件選択部５５を操作して抽出条件を指定すると、制御部１２ａは指定された条件に合致する不具合のみについて集計した不具合一覧表５１を生成し、これをタッチパネル１２ｂに表示する。かかる抽出条件としては、プラントＰ内のエリア区分、配管２１の敷設状態（配管径、保温状態など）、不具合情報３２２、処置情報３２３、などが挙げられる。このように構成することで、たとえば、緊急度の高い不具合の分布を把握しやすく、処置の優先順位をつけやすい。
【００４８】
なお、配管診断履歴表示画面４０と不具合一覧画面５０とは、その表示を相互に切り替えることができる。本実施形態では、不具合一覧画面５０において使用者が特定の不具合数表示欄５４を選択する入力操作を行ったときに、不具合一覧画面５０に替えて、選択された不具合数表示欄５４に対応する領域についての配管診断履歴表示画面４０が表示されるように構成されている。また、配管診断履歴表示画面４０からメニュー画面（不図示）を介して、当該配管診断履歴表示画面４０に表示された配置図３１が表す領域を含む不具合一覧画面５０に移行できるように構成されている。すなわち、特定の領域において発見された不具合の詳細を把握することに適した配管診断履歴表示画面４０と、より広い領域における不具合の分布を把握することの適した不具合一覧画面５０とを、相互に切り替えることができるように構成されているので、プラントＰで発見された不具合を網羅的かつ詳細に把握しやすい。
【００４９】
〔その他の実施形態〕
続いて、本発明に係る配管診断履歴表示装置、配管診断履歴表示方法、および、配管診断履歴表示プログラムのその他の実施形態について説明する。なお、以下のそれぞれの実施形態で開示される構成は、矛盾が生じない限り、他の実施形態で開示される構成と組み合わせて適用することも可能である。
【００５０】
上記の実施形態では、不具合一覧画面を表示可能な構成を例として説明した。しかし、そのような構成に限定されることなく、本発明に係る配管診断履歴表示装置は、不具合一覧画面を表示不可能に構成されてもよい。
【００５１】
上記の実施形態では、詳細ウィンドウ４３の初期状態において、左部４３ａに実施済処置情報３２３ａが提示され、中央部４３ｂに直近処置情報３２３ｂが提示され、右部４３ｃには実施待処置情報３２３ｃが提示される構成を例として説明した。しかし、そのような構成に限定されることなく、実施済処置情報３２３ａに替えて、または、実施済処置情報３２３ａと並べて、不具合地点アイコン４４に対応付けられた診断情報３２に含まれる不具合情報３２２が左部４３ａに表示されるように構成してもよい。このように構成すると、発見された不具合に関する情報と、当該不具合に対して行うべき処置とを一覧できるため、不具合およびその処置状況を把握しやすい。
【００５２】
また、この場合において、スクロールバー４３ｄを操作して提示されている処置情報３２３を変更した場合であっても、左部４３ａには常に不具合情報３２２が提示されるように構成してもよい。このように構成すると、発見された不具合に関する情報と、当該不具合に対して既に実施した処置および将来行うべき処置とを一覧できるため、不具合およびその処置状況を一層把握しやすい。
【００５３】
上記の実施形態では、直近処置情報３２３ｂが強調表示される構成を例として説明した。しかし、そのような構成に限定されることなく、たとえば、使用者の入力操作により選択された任意の不具合情報３２２または処置情報３２３が強調表示されるように構成してもよい。
【００５４】
その他の実施形態も含む上記の実施形態では、詳細ウィンドウ４３が左右方向に三分割されている構成を例として説明した。しかし、そのような構成に限定されることなく、詳細ウィンドウ４３は２つまたは４つ以上に分割されていてもよいし、または分割されていなくてもよい。また、その分割方向は左右方向に限定されず、上下方向でもよい。さらに、左部４３ａ、中央部４３ｂ、および右部４３ｃのそれぞれに表示される情報は、上記の実施形態に限定されず、それぞれ任意の情報であってよい。
【００５５】
その他の実施形態も含む上記の実施形態では、診断情報３２が配置図３１とともに配管診断履歴表示画面４０に表示される構成を例として説明した。しかし、図７に示すように、診断情報３２のみを表示する診断情報詳細表示画面６０を表示可能に構成してもよい。診断情報詳細表示画面６０においては、詳細ウィンドウ４３より多い区分の数の処置情報３２３が提示されるため、処置の進行状況を把握しやすい。診断情報詳細表示画面６０は、配管診断履歴表示画面４０に替えて、並べて、または重ねて、タッチパネル１２ｂに表示されうる。
【００５６】
上記の各構成に加えて、複数の使用者ごとにアカウントを付与し、当該アカウントごとに、表示可能な情報および表示態様を制限するように構成してもよい。このように構成することで、たとえば、管理者および検査員のそれぞれの業務に適した表示がなされるため、それぞれの業務が効率化される。また、それぞれの権限を制限し、誤った情報が入力されることをあらかじめ防ぐことができる。
【００５７】
上記の実施形態では、処置情報３２３が、実施済処置情報３２３ａ、直近処置情報３２３ｂ、実施待処置情報３２３ｃ、および予定処置情報３２３ｄの４つの区分に区分される構成を例として説明した。しかし、そのような構成に限定されることなく、本発明に係る処置情報は、区分されても区分されなくてもよく、区分される場合は任意の区分数に区分されてよい。
【００５８】
上記の実施形態では、不具合一覧画面５０において使用者が特定の不具合数表示欄５４を選択する入力操作を行ったときに、不具合一覧画面５０に替えて、配管診断履歴表示画面４０が表示される構成を例として説明した。しかし、そのような構成に限定されることなく、配管診断履歴表示画面４０と不具合一覧画面５０が並べて表示されてもよく、互いに重ねて表示されてもよい。
【００５９】
上記の実施形態では、配管診断履歴表示装置１がサーバ装置１１および可搬型端末１２を備える構成を例として説明した。しかし、そのような構成に限定されることなく、１台の端末が配管記憶部、診断情報記憶部、表示部、および制御部のすべてを備えるように構成してもよい。また、サーバ装置１１と可搬型端末１２との台数は一致する必要はない。
たとえば、１台のサーバ装置１１に対し、複数台の可搬型端末１２が通信可能であるように構成してもよい。
【００６０】
上記の実施形態では、可搬型端末１２が、表示機能に加えて入力を受け付ける機能を有するタッチパネル１２ｂを有する構成を例として説明した。しかし、そのような構成に限定されることなく、表示部および入力部を別々の機器として備えるように構成してもよい。
【００６１】
上記の実施形態では、プラントＰ内における配管２１および不具合の位置が、配管名２１ａ、ラック番号２２ａ、および階層番号２２ｂを用いて特定される構成を例として説明した。しかし、そのような構成に限定されることなく、たとえば、ＧＰＳに代表される全球測位衛星システムによって提供される座標情報によって、配管および不具合の位置を特定してもよい。この場合、配置図は座標情報によって特定されてよく、地点情報は座標情報を含みうる。
【００６２】
上記の実施形態では、不具合情報３２２が、検査員が実際に不具合であることを特定した箇所についての情報である構成を例として説明した。しかし、そのような構成に限定されることなく、たとえば、本発明に係る不具合情報は、不具合であることが疑わしい箇所に係る情報を含んでもよい。たとえば、簡易診断により不具合であることが疑われる箇所のそれぞれについての不具合情報を診断情報記憶部に記憶させたあと、詳細診断により実際に不具合であるか否かを確定する処置を、当該不具合に対して実施すべき処置に含めてもよい。
【００６３】
上記の実施形態では、不具合情報３２２と処置情報３２３とを明確に区分けして説明した。しかし、不具合の発見を処置の１つとみなして、不具合情報を第１段階の処置情報として取り扱うように構成してもよい。
【００６４】
上記の実施形態では、不具合地点アイコン４４が、当該不具合地点アイコン４４に対応付けられた診断情報３２に含まれる不具合情報３２２により特定される不具合の内容ごとに、異なる色で表示される構成を例として説明した。しかし、そのような構成に限定されることなく、各不具合地点アイコンに対応付けられた診断情報に含まれる不具合情報は、不具合地点アイコンの形状または大きさ、不具合地点アイコンに付される文字または記号、不具合地点アイコンの動きなどによって特定可能に構成してもよい。
【００６５】
上記の実施形態では、不具合地点アイコン４４が、当該不具合地点アイコン４４に対応付けられた診断情報３２に含まれる直近処置情報３２３ｂにより特定される実施待処置の段階を表す数字を含む態様で表示される構成を例として説明した。しかし、そのような構成に限定されることなく、各不具合地点アイコンに対応付けられた診断情報に含まれる実施待処置情報は、不具合地点アイコンの色、形状または大きさ、不具合地点アイコンに付される文字または記号、不具合地点アイコンの動きなどによって特定可能に構成してもよい。また、不具合地点アイコンが、当該不具合地点アイコンに対応付けられた診断情報に含まれる直近処置情報を特定不可能な態様であってもよい。
【００６６】
上記の実施形態では、それぞれの不具合数表示欄５４が、当該不具合数表示欄５４に表示される不具合の数の値に応じて異なる色で着色される構成を例として説明した。しかし、そのような構成に限定されることなく、一覧表の各欄は、当該欄に表示される前記不具合の数の区分は、当該欄に表示される文字の大きさ、書体、または文字修飾、当該欄に付記される文字または記号などによって特定可能に構成してもよい。また、一覧表の各欄は、当該欄に表示される前記不具合の数の区分を特定不可能な態様であってもよい。
【００６７】
上記の実施形態では、不具合一覧表５１において、不具合が発見された水平方向の位置をラック番号２２ａに基づいて特定する構成を例として説明した。しかし、そのような構成に限定されることなく、本発明に係る水平方向情報は、プラントＰ内のエリア区分、座標情報などに基づいて特定されてもよい。
【００６８】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。したがって、本発明の趣旨を逸脱しない範囲で改変された別の実施形態も、当然、本発明の範囲に含まれる。
【産業上の利用可能性】
【００６９】
本発明は、たとえば石油化学プラントや火力発電プラントなどの敷地内に敷設された配管の診断に利用することができる。
【符号の説明】
【００７０】
Ｐ        ：プラント
１        ：配管診断履歴表示装置
１１      ：サーバ装置
１１ａ    ：配管記憶部
１１ｂ    ：診断情報記憶部
１１ｃ    ：サーバ通信部
１２      ：可搬型端末
１２ａ    ：制御部
１２ｂ    ：タッチパネル
１２ｃ    ：端末通信部
２        ：配管群
２１      ：配管
２１ａ    ：配管名
２２      ：ラック
２２ａ    ：ラック番号
２２ｂ    ：階層番号
３１      ：配置図
３２      ：診断情報
３２１    ：地点情報
３２２    ：不具合情報
３２３    ：処置情報
３２３ａ  ：実施済処置情報
３２３ｂ  ：直近処置情報
３２３ｃ  ：実施待処置情報
３２３ｄ  ：予定処置情報
４０      ：配管診断履歴表示画面
４１      ：配置図表示部
４２      ：エリア情報表示部
４２ａ    ：配置図番号表示部
４２ｂ    ：プラント地図表示部
４２ｃ    ：ラック図表示部
４３      ：詳細ウィンドウ
４３ａ    ：詳細ウィンドウの左部
４３ｂ    ：詳細ウィンドウの中央部
４３ｃ    ：詳細ウィンドウの右部
４３ｄ    ：スクロールバー
４４      ：不具合地点アイコン
５０      ：不具合一覧画面
５１      ：不具合一覧表
５２      ：ラック番号軸
５３      ：階層軸
５４      ：不具合数表示欄
５５      ：抽出条件選択部
６０      ：診断情報詳細表示画面
【図１】
0006823898.tif 000002
【図２】
0006823898.tif 000003
【図３】
0006823898.tif 000004
【図４】
0006823898.tif 000005
【図５】
0006823898.tif 000006
【図６】
0006823898.tif 000007
【図７】
0006823898.tif 000008